(57)【特許請求の範囲】
【請求項１】
長繊維で構成されていて、長手方向に尿を拡散させる水路が形成され、且つ、幅方向に尿を透水させる透水孔が形成された尿拡散−浸透型カーペットおよび非透水性バッキング材の間に、所定の材質及び形状・寸法の支持体層表面に高吸水性樹脂および消臭剤をとじ込めて、さらにその表面を表面保護層で保護した高吸水性樹脂および消臭剤から成る尿吸収剤−消臭剤複合構成体を介挿させ、前記尿拡散−浸透型カーペットおよび非透水性バッキング材同士を接合して袋綴じしたトイレットマット。
【請求項２】
前記尿拡散−浸透型カーペットまたは非透水性バッキング材の少なくとも一方において開口部を設けた状態で袋状に接合し、尿吸収剤−消臭剤複合構成体を出し入れ可能な状態で介挿させたことを特徴とする請求項１に記載したトイレットマット。
【発明の詳細な説明】
【技術分野】
【０００１】  本発明はトイレットマットに関する。より詳細には、本発明は、男性用小便器又は洋式便器等を囲むように敷き詰めて、使用中に飛散した尿を吸収すると共に尿から発生した各種不快臭を脱臭する機能を併せもつトイレットマットに関する。
【背景技術】
【０００２】  排泄された尿の悪臭成分の殆どはアンモニアである。然しながら、たとえば糖尿病等何らかの疾病に罹患しているヒトの尿には数種類の悪臭発生源が混入していて、それらが微生物により分解されて、悪臭になる場合がある。【０００３】  トイレットの床は、陶磁器タイル、コンクリート打放し仕上げ、ゴムタイル、プラスチックタイル、フロアリング等で仕上げられているので、床に飛散した尿が床に拡散すると共に滞留したままになり、たとえ滞留した尿を完全に拭き取ったとしても、悪臭はトイレット内に充満することとなる。これを防止するには、床に飛散した尿及び尿から発生した悪臭の両者を速やかに消去する手段が必要である。【０００４】  その手段として従来から多種多様なトイレットマットが提案されている。その標準的なものは、透水性の表面マットと非透水性の床面マットを袋状に接合し、その間に高吸水性樹脂（ハイドロゲル）と消臭剤とから成る混合物を透水性の袋に充填した尿−悪臭吸着材を介挿したタイプである。【０００５】  上述した標準タイプのトイレットマットに使用されている高吸水性樹脂（ハイドロゲル）および消臭剤は、それぞれ吸水限界、および悪臭吸着限界がある。従って、尿が特定箇所の高吸水性樹脂（ハイドロゲル）および消臭剤に集中すると、その箇所の高吸水性樹脂（ハイドロゲル）および消臭剤の吸水効果、および悪臭吸着効果が限界に達し、以降それぞれの効果が劣化する。従って、上述した標準タイプのトイレットマットに要求される第１の要件は、床に飛散した尿をトイレットマット内で速やかに長手方向に拡散して単位面積当たりの尿の量を出来るだけ薄め、次いで幅方向に通水して尿および尿から発生した悪臭の両者を速やかに消去すると共に、吸水効果、および悪臭吸着効果をできるだけ持続させることである。【０００６】  トイレットマットをトイレットの床に敷設したとき、トイレットマットとトイレットの床面との間に空隙があると、飛散した尿が、トイレットマットの最下層と、トイレットの床面との間の不陸が形成する空隙に入り込み、尿及び尿から発生した悪臭が消去されないまま滞留することとなる。従って、トイレットマットに要求される第２の要件は、トイレットの床面に敷設したとき、どのような不陸にも完全に追随する、いわゆる床面追随性が発揮できるようにあらゆる方向に柔軟性があることである。【０００７】  さらに，トイレットマットは、トイレットの衛生面の改善、環境の美化等から極めて重要なことではある。然しながら、各種公共施設、官、公及び民営の各種事業所、集合住宅、或いは戸建て住宅等に付設されたトイレットに掛けるコストには自ずから限界がある。特に、公共施設のトイレットは、年齢、性別、健常者、障害者を問わず不特定多数が利用するので、それらの多様な利用者の要望を満たすために、主として、設備面にコストを掛けるあまり、不快臭の処理に掛けるコストは限界がある。従って、トイレットマットは、材料コスト、製造コスト等が低いことも重要な要件である。【０００８】  また、尿、および尿から発生した悪臭の吸収限界を超え、吸収能力が劣化したトイレットマットや、嘔吐物を浴びたトイレットマットを、そのままトイレットの床に敷いたままにしておくと���尿及び嘔吐物から発生した悪臭がトイレットマット内部に滞留し、逆効果になる。従って、トイレットマットには、必要が生じた場合、随時、速やかに新規なものと交換できる、敷設容易性が要求される。【０００９】  そこで、従来提案されたトイレットマットが上記の要件を満たしているか検討する。【００１０】  特許文献１は、表面マットと防水性シートの間に特殊な消臭剤と吸水性ポリマーから成る消臭シートを取り替え可能に装着した便所用消臭マットを記載している。特許文献１の［０００６］には「本発明の便所用消臭マットは次のようにして具体的に構成される。表面に通水性の植毛状不織布マット、人工芝またはプラスチック性の開孔ボードまたは簀の子等を置き、その下に上記シート挿入する。さらにその下層に非通水性のプラスチックシートを敷き３層構造として便器の周囲に敷設する。」と記載されている。また、［００１６］には、「表面マットは直接人の靴で踏まれるから相当な強度とクッション性をもつものでなければならない。さらに頻繁に水洗する必要があり、そのため合成樹脂製のパイルマットや人工芝のようなものがよい。さらにこぼれた尿を通液させるため多孔性で通液性のよい構造をもつものでなければならない。（以下、割愛する）」と記載されている。【００１１】  特許文献１に記載されたトイレットマットに使用している最表層材は、人工芝またはプラスチック性の開孔ボードまたは簀の子等であり、相当な強度を有していて、トイレットの床面、たとえば、タイルの目地等により形成される不陸に完全に追随するとは言えない。特に、プラスチック性の開孔ボードまたは簀の子の場合は、プラスチック性の開孔ボードまたは簀の子と床面との間に相当な空隙が形成され、飛散した尿がその空隙に滞留する場合が発生するという欠陥がある。【００１２】  さらに、特許文献１に記載されたトイレットマットは、幅方向に尿を通水させる通水孔をもった多孔質であるが、床に飛散した尿をトイレットマット内で速やかに長手方向に拡散して単位面積当たりの尿の量を出来るだけ薄め、次いで幅方向に通水させる構造になっていない。【００１３】  特許文献２は、最表層のマットの先端部に凹形にくりぬいた尿吸収シート収納スペースを設け、その中に尿吸収シートをはめ込み、その上に尿吸収シート用カバーをかぶせ、その両サイドに足型を模った足位置マークをしるした尿吸収シート付き小便器用床マット、を記載している。特許文献２に記載された小便器用床マットは、その全面ではなく、その一部に尿吸収シート収納スペースを設け、その中に尿吸収シートをはめ込んだ構造になっている。【００１４】  特許文献２のような構造の場合、尿吸収シート収納スペース以外の部分に尿が飛散した場合は、尿を吸収することは不可能である。また、小便器を使用する年齢層は幼児から成人まで幅広く、さらには、健常者から障害者まで多様である。従って、たとえ、両サイドに足型を模った足位置マークをしるしてあっても、必ずしも、その位置に立って用を足すとは限らない。従って、特許文献２に記載された小便器用床マットは、これら２つの点から、前述したトイレットマットの要件を満たしていない。
【特許文献１】特開平９−１７３２４８号公開公報
【特許文献２】登録実用新案公報第３０６０８０５号
【発明の開示】
【発明が解決しようとする課題】
【００１５】  発明が解決しようとする第１の課題は、床に飛散した尿をトイレットマット内で速やかに長手方向に拡散して単位面積当たりの尿の量を出来るだけ薄め、次いで幅方向に通水して尿および尿から発生した悪臭の両者を速やかに消去すると共に、吸水効果、および悪臭吸着効果をできるだけ持続させることである。【００１６】  発明が解決しようとする第２の課題は、トイレットの床面に敷設したとき、どのような不陸にも完全に追随する、いわゆる床面追随性が発揮できるようにあらゆる方向に柔軟性を持たせることである。【００１７】  発明が解決しようとする第３の課題は、材料コスト、製造コスト等を低減させたトイレットマットを提供することである。【００１８】  発明が解決しようとする第４の課題は、必要が生じた場合、随時、速やかに新規なものと交換できる、敷設容易性を備えたトイレットマットを提供することである。【００１９】  発明が解決しようとする第５の課題は、自己完結型の独立商品としても取引可能な尿吸収剤−消臭剤複合構成体を提供することである。
【課題を解決するための手段】
【００２０】  上記課題は、下記の各項に記載する手段により解決することができる。【００２１】１．長繊維で構成されていて、長手方向に尿を拡散させる水路が形成され、且つ、幅方向に尿を透水させる透水孔が形成された尿拡散−浸透型カーペットおよび非透水性バッキング材の間に、所定の材質及び形状・寸法の支持体層表面に高吸水性樹脂および消臭剤をとじ込めて、さらにその表面を表面保護層で保護した高吸水性樹脂および消臭剤から成る尿吸収剤−消臭剤複合構成体を介挿させ、前記尿拡散−浸透型カーペットおよび非透水性バッキング材同士を接合して袋綴じしたトイレットマットとする。【００２２】２．前記１項において、尿拡散−浸透型カーペットまたは非透水性バッキング材の少なくとも一方において開口部を設けた状態で袋状に接合、尿吸収剤−消臭剤複合構成体を出し入れ可能な状態で介挿してトイレマットとする。
【発明の効果】
【００２３】請求項１に記載した発明において、高吸水性樹脂および消臭剤から成る尿吸収剤−消臭剤複合構成体を、支持体層表面に高吸水性樹脂および消臭剤を固着させ、さらにその表面を表面保護層で保護したので、高吸水性樹脂および消臭剤をそれぞれ自由状態で分散させた従来技術に比べて、高吸水性樹脂および消臭剤から成る尿吸収剤−消臭剤複合構成体を移動中にも、高吸水性樹脂および消臭剤が確実に固定されているので、高吸水性樹脂による尿吸収効果および消臭剤による悪臭脱臭効果が偏在せず、吸水−脱臭効率がよく、両者の効果が持続すると共にそれ自体が独立した商品として商取引の対象になり、また、保管、貯蔵にも耐え、マーチャンダイジングの幅が拡大する。【００２４】また、長繊維で構成されていて透水性カーペットの長手方向に尿を拡散させる水路が形成され、且つ、透水性カーペットの幅方向に尿を透水させる透水孔が形成された尿拡散−浸透型カーペットとしたので、飛散した尿が、カーペットの表面に到達すると、先ず透水性カーペットの長手方向に拡散し、次いで透水性カーペットの幅方向に形成された透水孔から、その下方に挿入された尿吸収剤−消臭剤複合構成体に浸透した尿が、単位容積当たり拡散薄められた状態で尿吸収剤に吸収され、尿から発生する悪臭が消臭剤により消臭されるので、尿吸収剤−消臭剤の尿吸収−消臭効果の効率がよく、且つ、それぞれの吸収−消臭限界が拡大されるので、トイレットマットとしてマーチャンダイジングの幅が拡大する。【００２５】  請求項２に記載した発明により、尿拡散−浸透型カーペットまたは非透水性バッキング材の少なくとも一方において開口部を設けた状態で袋状に接合し、尿吸収剤−消臭剤複合構成体を出し入れ可能な状態で介挿させたので、下記に例示する効果を奏功する。【００２６】  イ。透水性カーペットおよび非透水性バッキング材を、少なくとも一方において開口部を設けた状態で袋状に接合した状態で接合して開口部設けた袋体と、高吸水性樹脂および消臭剤から成る尿吸収剤−消臭剤複合構成体を、それぞれ独立させたので、袋体が破損したり、又は高吸水性樹脂および消臭剤から成る尿吸収剤−消臭剤複合構成体の尿吸収効果および／又は脱臭効果が劣化した場合は、速やかに交換することができる。【００２７】  ロ。透水性カーペットおよび非透水性バッキング材を、少なくとも一方において開口部を設けた状態で袋状に接合した状態で接合して開口部を設けた袋体だけをレンタルとし、随時高吸水性樹脂および消臭剤から成る尿吸収剤−消臭剤複合構成体を定期的または必要に応じて交換することができ、そのことにより、マーチャンダイジングの幅が拡大する。
【発明を実施するための最良の形態】
【００２８】  以下、発明を実施するための最良の形態を参考例および実施例として記載する。
【参考例１】
【００２９】  図１は、本発明で使用する尿吸収剤−臭剤複合構成体１の図で、図１−１は、その断面図、図１−２は、図１−１の不織布５（後述する）を除去した平面図である。参考例１における本発明の尿吸収剤−消臭剤複合構成体１は、たとえば１５０ｇ／ｍ２、厚さ１〜３ｍｍのフェルト２の表面に８０℃で熔融するホットメルトタイプの接着剤３を８０ｇ／ｍ２の単位量で、ひも状に散布する。接着剤同士の間隔は、たとえば、５〜１０ｍｍの範囲が好ましい。１０ｍｍ以上の場合、後述する尿吸収剤及び消臭剤が移動し易くなるので、尿吸収及び消臭効果が劣化する恐れがある。次いで、接着剤３と３の間に尿吸収剤及び消臭剤から成る複合剤４を散布し、表面保護層としての不織布５を被覆し８０℃に加熱してフェルト２、尿吸収剤及び消臭剤から成る複合剤４、及び表面保護層としての不織布５を接着して積層して一体化する。次いで、フェルト２の裏面に、両面粘着テープ６を介して厚さ０．５ｍｍの止水および補強層としての厚紙７を接着し、最終的に、止水および補強層としての厚紙７、両面粘着テープ６、フェルト２，尿吸収剤及び消臭剤から成る複合剤４、及び表面保護層としての不織布５を相互に接着して一体化し、５層構造の尿吸収剤−消臭剤複合構成体１を製造した。
【参考例２】
【００３０】参考例１においてフェルト２の代わりに厚さ３〜５ｍｍの発泡ウレタンの外周の端部１０ｍｍに両面テープを接着し、他方端部１０ｍｍ以外の内側表皮に、尿吸収剤及び消臭剤から成る複合剤を均一に分散し、透水性の不織布でカバーし、ウレタンの裏面は、厚さ０．５ｍｍの止水および補強層としての厚紙を接着してもよい。均一に分散させた尿吸収剤及び消臭剤から成る複合剤は、横斜めにすると固着はされていないが、発泡層により形成された窪みがあるので、移動しにくい。
【００３１】参考例２の場合、発泡ウレタンの代わりに毛羽立った不織布を使用してもよい。均一に分散させた尿吸収剤及び消臭剤から成る複合剤は、横斜めにすると固着はされていないが、毛羽立った繊維により形成されたすき間があるので、移動しにくい。この場合も、毛羽立った不織布の表面に均一に分散させた尿吸収剤及び消臭剤から成る複合剤は、横斜めにすると固着はされていないが、毛羽だった繊維により、移動しにくい。
【００３２】  本発明で使用する尿吸収剤−消臭剤複合構成体１を製造する場合、各材料の種類、規格等は特段に限定されない。たとえば、尿吸収剤−消臭剤複合材を固着させる層の材料として、参考例１で厚さ１〜３ｍｍのフェルトを、実施例２で厚さ３〜５ｍｍの発泡ウレタンを使用したが、これらは、厚さおよび材料の点で、これらに特段に限定されず、同等品ならば使用可能である。
【００３３】  本発明で使用する尿吸収剤−消臭剤複合構成体１を製造する場合、参考例１および２では、三洋化成工業（株）の粉末状の高吸収性ポリマーである「サンフレッシュ  ＳＴ−５００Ｄ」（登録商標）を使用したが、これに特段に限定されず、同等品ならば使用可能である。
【００３４】  本発明で使用する尿吸収剤−消臭剤複合構成体１を製造する場合、参考例１および２では、ラサ工業（株）の粉末状の消臭剤「シュークレンズ  ＳＴ−５００Ｄ」（登録商標）を使用したが、これに特段に限定されず、同等品ならば使用可能である。
【００３５】参考例１および２では、尿吸収剤−消臭剤複合構成体１は、５７０〜５８０ｍｍ×５７０〜５８０ｍｍに製造し、且つ、便器の凸状溜まり部に嵌合するように凹部を設けた。然しながら、本発明の尿吸収剤−消臭剤複合構成体１の各部位の寸法および形状は特段に限定されない。たとえば、便器の形状および寸法、或いは使用者の年齢、便器が設置されている環境等諸条件を考慮して適宜決定される設計事項である。
【実施例１】
【００３６】  図２は、実施例１を示す平面図である。図３は、図２のＡ−Ａ線断面図である。図２及び３において、１は、尿吸収剤−消臭剤複合構成体である。９は、尿拡散−浸透型カーペットで、長繊維で構成されていて透水性カーペットの長手方向に尿を拡散させる水路が形成され、且つ、透水性カーペットの幅方向に尿を透水させる透水孔が形成された厚さ８ｍｍで、表面に消臭処理を施したものを使用した。１０は、厚さ１．２〜１．５ｍｍのスチレン系エラストマー製のバッキング材である。実施例１は洋式便座用のトイレットマットで、便座に向かって、縦方向長さ（Ｌ１）を６００ｍｍ、同横方向長さ（Ｌ２）を６００ｍｍとし、幅（Ｌ３）及び最大深さ（Ｌ４）を、それぞれ２５０ｍｍ、１５０ｍｍの切り込みを入れた形状で、３方の端部の外周囲１１をオーバーロックで一方開口した袋状に加工し、開口部から内部に前記尿吸収剤−消臭剤複合構成体１を収容して、開口部を綴じて、売切りタイプのトイレットマットを製造した。【００３７】  実施例１では、Ｌ１，Ｌ２，Ｌ３及びＬ４、厚さ等を特定の寸法にしたが、本発明のトイレットマットの形状及び寸法、並びに材料は特段に限定されない。本発明のトイレットマットの形状及び各部位の寸法、並びに材料は、使用する年齢、トイレットの設置環境、コスト等諸条件を勘案して随時設定すべき設計的事項である。
【実施例２】
【００３８】  図４は請求項２に係わるトイレットマット７を示す平面図、図５は、図４のＡ−Ａ線断面図、図６は、同Ｂ−Ｂ線断面図である。図４〜６において、１は、尿吸収剤−消臭剤複合構成体である。９は、尿拡散−浸透型カーペットで、長繊維で構成されていて透水性カーペットの長手方向に尿を拡散させる水路が形成され、且つ、透水性カーペットの幅方向に尿を透水させる透水孔が形成された厚さ８ｍｍで、表面に消臭処理を施したものを使用した。１０は、厚さ１．２〜１．５ｍｍのスチレン系エラストマー製のバッキング材である。実施例２は洋式便座用のトイレットマットで、縦方向長さ（Ｌ５）を６００ｍｍ、同横方向長さ（Ｌ６）を６００ｍｍとし、便座に向かって図５に示したような凹部１２を形成した。凹部１２を形成した辺を開口部１３とし、それ以外の３方の端部の外周囲１３をオーバーロック１４で袋状に加工した。開口部１３から内部に前記尿吸収剤−消臭剤複合構成体１を収容した。開口部１３は、図６に示したように、面ファスナー１５で脱着可能に接合した。【００３９】実施例２では、Ｕ型洋式便座用のトイレットマットであるので、形状、寸法等を特定のものにしたが、本発明のトイレットマットの形状及び寸法、並びに材料は特段に限定されない。本発明のトイレットマットの形状及び各部位の寸法、並びに材料は、使用する年齢、トイレットの設置環境、コスト等諸条件を勘案して随時設定すべき設計的事項である。また、実施例２では、尿吸収剤−消臭剤複合構成体１を挿入するための開口部１２を、トイレットマット７が便座に近接した辺に設けたが、尿吸収剤−消臭剤複合構成体１を挿入するための開口部を形成する箇所は特段に限定されず、任意の辺に設けることができる。即ち、実施例２では、トイレットマットの形状、各部位の寸法、材料、及びは特段に限定されず。ない。本発明のトイレットマットの形状及び各部位の寸法、並びに尿吸収剤−消臭剤複合構成体を挿入するための開口部を形成する箇所等は特段に限定されずトイレットの設置環境、使用者の年齢、コスト等諸条件を勘案して随時設定すべき設計的事項である。
【図面の簡単な説明】
【００４０】
【図１】本発明の実施の１態様を示す図。
【図１−１】本発明の実施の１態様を示す平面図。
【図１−２】図１−１の表層材（不織布）を外した平面図。
【図２】本発明の実施例１を示す平面図。
【図３】図２の断面図。
【図４】本発明の実施例２の平面図。
【図５】図４のＡ−Ａ線断面図。
【図６】図４のＢ−Ｂ線断面図。
【符号の説明】
【００４１】１    尿吸収剤−消臭剤複合構成体
２    フェルト
３    ホットメルトタイプ接着剤
４    尿吸収剤及び消臭剤から成る複合剤
５    表面保護層としての不織布
６    両面粘着テープ
７    厚紙
８    トイレットマット
９    尿拡散−浸透型カーペット
１０  バッキング材
１１  オーバーロック加工部
１２  トイレットマット凹部
１３  トイレットマットの開口部
１４  オーバーロック加工部
１５  面ファスナー
Ｌ１  トイレットマットの縦方向長さ
Ｌ２  トイレットマットの横方向長さ
Ｌ３  トイレットマットの凹部の幅
Ｌ４  トイレットマットの凹部の最大深さ
【図１】
0005664958.tif 000002
【図２】
0005664958.tif 000003
【図３】
0005664958.tif 000004
【図４】
0005664958.tif 000005
【図５】
0005664958.tif 000006
【図６】
0005664958.tif 000007